(57)【要約】【課題】自転車を横置き姿勢と縦置き姿勢との両姿勢で保管することが可能な自転車用のスタンドを提供する。【解決手段】取付部材１１に設けられた第１の脚部材１２が枢着軸２０を中心に起立位置と跳ね上げ位置Ｂとの間を回動自在であり、第１の脚部材１２に、第２の脚部材１３が回動自在に連結され、第２の脚部材１３を第１の脚部材１２に対して開閉方向Ｏ，Ｓへ回動させる開閉手段１４が備えられ、開閉手段１４は、第１の脚部材１２が起立位置に回動した際、第２の脚部材１３を第１の脚部材１２に対して閉方向Ｓへ回動させて、第１の脚部材１２の遊端部と第２の脚部材１３の遊端部との間隔を閉じ、第１の脚部材１２が跳ね上げ位置Ｂに回動した際、第２の脚部材１３を第１の脚部材１２に対して開方向Ｏへ回動させて、第１の脚部材１２の遊端部と第２の脚部材１３の遊端部との間隔を開く。【選択図】図８
2012011923.tif 000002
【特許請求の範囲】
【請求項１】
車体フレームに設けられる取付部材に、軸を介して第１の脚部材が設けられ、
第１の脚部材は軸を中心に起立位置と跳ね上げ位置との間を回動自在であり、
第１の脚部材に、第２の脚部材が回動自在に連結され、
第１の脚部材が起立位置に回動した際、第２の脚部材が第１の脚部材に対して閉方向へ回動し、第１の脚部材の遊端部と第２の脚部材の遊端部との間隔が閉じ、
第１の脚部材が跳ね上げ位置に回動した際、第２の脚部材が第１の脚部材に対して開方向へ回動し、第１の脚部材の遊端部と第２の脚部材の遊端部との間隔が開くことを特徴とする自転車用のスタンド。
【請求項２】
第２の脚部材を第１の脚部材に対して開閉方向へ回動させる開閉手段が備えられていることを特徴とする請求項１記載の自転車用のスタンド。
【請求項３】
開閉手段は、第２の脚部材に設けられた案内ピンと、取付部材に形成され
て案内ピンを案内する案内溝とからなり、
案内ピンは、案内溝に嵌め込まれ、第１の脚部材の回動に伴って案内溝内を移動し、
第１の脚部材に対する第２の脚部材の回動中心と案内ピンとがずれた位置にあることを特徴とする請求項２記載の自転車用のスタンド。
【請求項４】
第１の脚部材が起立位置に回動した際、第２の脚部材の遊端部が第１の脚部材の遊端部よりも上位になることを特徴とする請求項１から請求項３のいずれか１項に記載の自転車用のスタンド。
【発明の詳細な説明】
【技術分野】
【０００１】
本発明は、自転車に備えられるスタンドに関する。
【背景技術】
【０００２】
従来、運転走行時と同じ通常姿勢（以下、横置き姿勢と言う）で自転車を駐輪する場合、スタンドを立てている。また、折畳式の自転車等では、自転車を折畳んだ状態で縦置き姿勢（すなわち前輪を上向きにし後輪を下向きにした姿勢）で保管する場合がある。このような縦置き姿勢で保管可能な自転車用のスタンドとしては、例えば図９，図１０に示すように、キャリヤと兼用するものがある。
【０００３】
すなわち、車体フレーム６１のバックホーク６２が上バックホーク６２ａと下バックホーク６２ｂとで折畳み可能に構成され、側面視三角形状のスタンド６３が下バックホーク６２ｂに設けられている。
【０００４】
これによると、図９に示すように、自転車６４を組立てた場合、バックホーク６２が一直線状に伸展し、スタンド６３が、地面から上方へ離間して、キャリヤとして使用可能となる。また、図１０に示すように、自転車６４を折畳んで縦置きする場合、上バックホーク６２ａと下バックホーク６２ｂとがＶ形状に屈曲し、スタンド６３が下向きに回動して接地する。これにより、自転車６４は折畳まれた状態でスタンド６３により支持され、縦置き姿勢で保管される。尚、上記のようにキャリヤと兼用できるスタンド６３を備えた自転車６４については、例えば下記特許文献１に記載されている。
【先行技術文献】
【特許文献】
【０００５】
【特許文献１】実開平５−８９１８０
【発明の概要】
【発明が解決しようとする課題】
【０００６】
しかしながら上記の従来形式では、図１０に示すように、自転車６４を縦置き姿勢で保管することは可能であるが、自転車６４を横置き姿勢で保管することはできないという問題がある。
【０００７】
本発明は、自転車を横置き姿勢と縦置き姿勢との両姿勢で保管することが可能な自転車用のスタンドを提供することを目的とする。
【課題を解決するための手段】
【０００８】
上記目的を達成するために、本第１発明における自転車用のスタンドは、車体フレームに設けられる取付部材に、軸を介して第１の脚部材が設けられ、
第１の脚部材は軸を中心に起立位置と跳ね上げ位置との間を回動自在であり、
第１の脚部材に、第２の脚部材が回動自在に連結され、
第１の脚部材が起立位置に回動した際、第２の脚部材が第１の脚部材に対して閉方向へ回動し、第１の脚部材の遊端部と第２の脚部材の遊端部との間隔が閉じ、
第１の脚部材が跳ね上げ位置に回動した際、第２の脚部材が第１の脚部材に対して開方向へ回動し、第１の脚部材の遊端部と第２の脚部材の遊端部との間隔が開くものである。
【０００９】
これによると、自転車を横置き姿勢で保管する場合、第１の脚部材を起立位置に回動させる。これにより、第２の脚部材が第１の脚部材に対して閉方向へ回動し、第１の脚部材の遊端部と第２の脚部材の遊端部との間隔が閉じた状態で、第１の脚部材の遊端部が接地し、自転車が第１の脚部材によって横置き姿勢で保持される。
【００１０】
また、横置き姿勢で保管している状態では、第１の脚部材の遊端部と第２の脚部材の遊端部との間隔が閉じているため、この状態から第１の脚部材を跳ね上げて自転車を走行させる際、容易に第１の脚部材を跳ね上げることができる。
【００１１】
また、自転車を縦置き姿勢で保管する場合、先ず、横置き姿勢の状態で、第１の脚部材を跳ね上げ位置に回動させる。これにより、第２の脚部材が第１の脚部材に対して開方向へ回動し、第１の脚部材の遊端部と第２の脚部材の遊端部との間隔が開く。この状態で、自転車の前部を持ち上げて前輪を上向きにし、自転車を縦置き姿勢にすることにより、第１の脚部材の遊端部と第２の脚部材の遊端部とが接地し、自転車が第１の脚部材と第２の脚部材とによって縦置き姿勢で安定して保持される。
【００１２】
本第２発明における自転車用のスタンドは、第２の脚部材を第１の脚部材に対して開閉方向へ回動させる開閉手段が備えられているものである。
これによると、第１の脚部材が起立位置に回動するとき、開閉手段により第２の脚部材が第１の脚部材に対して閉方向へ回動し、第１の脚部材の遊端部と第２の脚部材の遊端部との間隔が閉じる。
【００１３】
また、第１の脚部材が跳ね上げ位置に回動するとき、開閉手段により第２の脚部材が第１の脚部材に対して開方向へ回動し、第１の脚部材の遊端部と第２の脚部材の遊端部との間隔が開く。
【００１４】
本第３発明における自転車用のスタンドは、開閉手段は、第２の脚部材に設けられた案内ピンと、取付部材に形成されて案内ピンを案内する案内溝とからなり、
案内ピンは、案内溝に嵌め込まれ、第１の脚部材の回動に伴って案内溝内を移動し、
第１の脚部材に対する第２の脚部材の回動中心と案内ピンとがずれた位置にあるものである。
【００１５】
これによると、第１の脚部材が起立位置に回動するとき、案内ピンが案内溝に案内されて移動し、第２の脚部材が第１の脚部材に対して閉方向へ回動する。
また、第１の脚部材が跳ね上げ位置に回動するとき、案内ピンが案内溝に案内されて移動し、第２の脚部材が第１の脚部材に対して開方向へ回動する。
【００１６】
本第４発明における自転車用のスタンドは、第１の脚部材が起立位置に回動した際、第２の脚部材の遊端部が第１の脚部材の遊端部よりも上位になるものである。
これによると、自転車を横置き姿勢で保管している場合、起立位置の第１の脚部材の遊端部のみが接地し、第２の脚部材の遊端部は接地しない。したがって、この状態から第１の脚部材を跳ね上げて自転車を走行させる際、容易に第１の脚部材を跳ね上げることができる。
【発明の効果】
【００１７】
以上のように本発明によると、自転車を横置き姿勢と縦置き姿勢との両姿勢で保管することが可能である。また、自転車を横置き姿勢で保管している状態から第１の脚部材を跳ね上げて自転車を走行させる際、容易に第１の脚部材を跳ね上げることができる。
【図面の簡単な説明】
【００１８】
【図１】本発明の実施の形態における横置き姿勢の自転車の側面図
【図２】同、起立位置のスタンドの側面図
【図３】図２におけるＸ−Ｘ矢視図
【図４】同、横置き姿勢でスタンドを跳ね上げた自転車の側面図
【図５】同、スタンドに設けられた連結部材の図
【図６】図２におけるＹ−Ｙ矢視図
【図７】縦置き姿勢の自転車の側面図
【図８】同、跳ね上げ位置のスタンドの側面図
【図９】従来の横置き姿勢の自転車の側面図
【図１０】同、縦置き姿勢の自転車の拡大図
【発明を実施するための形態】
【００１９】
以下、本発明における実施の形態を図面を参照しながら説明する。
図１に示すように、１は折畳み式の自転車であり、車体フレーム２と前輪３と後輪４とハンドル５とサドル６とペダル７とチェン（図示省略）とスタンド８等を有している。図１〜図３に示すように、スタンド８は、両脚型のスタンドであり、車体フレーム２の左右両チェーンステー９の後端部に取り付けられた板状の左右一対の取付部材１１と、第１および第２の脚部材１２，１３と、開閉手段１４と、ばね１５（付勢手段）等を有している。
【００２０】
第１の脚部材１２は、左右方向に挿通された第１の枢着軸２０を介して両取付部材１１に設けられ、第１の枢着軸２０を中心にして起立位置Ａ（図１，図２の実線参照）と跳ね上げ位置Ｂ（図２の仮想線、図４参照）との間を回動自在である。第１の脚部材１２は、鳥居形をしており、左右一対の第１のサイドフレーム２１と、両第１のサイドフレーム２１の遊端部間に設けられた第１の連設フレーム２２とを有している。
【００２１】
第２の脚部材１３は、脚部材本体２４と連結部材２５とで構成されており、第１の脚部材１２に回動自在に連結されている。脚部材本体２４は、鳥居形をしており、左右一対の第２のサイドフレーム２６と、両第２のサイドフレーム２６の遊端部間に設けられた第２の連設フレーム２７とを有している。
【００２２】
図５に示すように、連結部材２５は、Ｕ形状の部材であり、左右一対の側板２５ａ，２５ｂと、両方の側板２５ａ，２５ｂの端部間に設けられた連設板２５ｃとを有する。一方の側板２５ａは、側面視でＬ形状に形成されており、左右方向に挿通された第２の枢着軸２９により、第１の脚部材１２に連結されている。また、他方の側板２５ｂは脚部材本体２４の第２のサイドフレーム２６の先端部に溶接等で一体的に取り付けられている。これにより、第２の脚部材１３は第２の枢着軸２９を中心にして開閉方向Ｏ，Ｓへ回動する。尚、開閉方向Ｏ，Ｓは第１の脚部材１２の回動方向と同じ方向である。
【００２３】
ばね１５は、第１の脚部材１２を跳ね上げ位置Ｂに引き上げて保持するものであり、引張りコイルばねが用いられている。ばね１５の一端部は取付部材１１に設けられた係止片３０に係止され、ばね１５の他端部は第１の脚部材１２に設けられた係止片３１に係止されている。
【００２４】
開閉手段１４は、第２の脚部材１３を第１の脚部材１２に対して開閉方向Ｏ，Ｓへ回動させるものである。図２，図３，図６に示すように、開閉手段１４は、第２の脚部材１３に設けられた案内ピン３４と、取付部材１１に形成された案内溝３５とからなる。図２に示すように、案内溝３５は側面視において円弧形状をしており、図６に示すように、取付部材１１の案内溝３５が形成されている部分は連結部材２５の一対の側板２５ａ，２５ｂ間に挿入されている。案内ピン３４は、案内溝３５に左右方向から挿通されて嵌め込まれているとともに、側板２５ａ，２５ｂと第２のサイドフレーム２６の端部とを貫通して、第２の脚部材１３に設けられ、第１の脚部材１２の回動に伴って案内溝３５内を移動する。尚、図２，図５（ｂ）に示すように、第２の脚部材１３の回動中心である第２の枢着軸２９と案内ピン３４とは所定距離Ｃを隔ててずれた位置にある。
【００２５】
開閉手段１４は、図１，図２の実線で示すように、第１の脚部材１２が起立位置Ａに回動した際、第２の脚部材１３を第１の脚部材１２に対して閉方向Ｓへ回動させ、第１の脚部材１２の遊端部（第１の連設フレーム２２）と第２の脚部材１３の遊端部（第２の連設フレーム２７）との間隔を閉じ、また、図２の仮想線，図４，図７，図８に示すように、第１の脚部材１２が跳ね上げ位置Ｂに回動した際、第２の脚部材１３を第１の脚部材１２に対して開方向Ｏへ回動させ、第１の脚部材の遊端部と第２の脚部材の遊端部との間隔を開く。
【００２６】
尚、図１，図２に示すように、第１の脚部材１２が起立位置Ａに回動した際、第２の脚部材１３の遊端部（第２の連設フレーム２７）が第１の脚部材１２の遊端部（第１の連設フレーム２２）よりも上位になる。
【００２７】
以下、上記構成における作用を説明する。
図１に示すように、自転車１を横置き姿勢で保管する場合、自転車１の後部を僅かに持ち上げて第１の脚部材１２を起立位置Ａに回動させる。これにより、図２の実線で示すように、案内ピン３４が案内溝３５に案内されながら前方下向きに移動して案内溝３５の一端部へ達し、第２の脚部材１３が第１の脚部材１２に対して閉方向Ｓへ回動し、第１の脚部材１２の遊端部と第２の脚部材１３の遊端部との間隔が閉じた状態で、第１の脚部材１２の遊端部が地面４０や床等に接地し、図１に示すように、自転車１が第１の脚部材１２によって横置き姿勢で保持される。
【００２８】
また、上記のように自転車１を横置き姿勢で保管している状態では、第１の脚部材１２の遊端部と第２の脚部材１３の遊端部との間隔が閉じており、しかも、図２の実線で示すように、第１の脚部材１２の遊端部のみが地面４０や床等に接地し、第２の脚部材の遊端部１３は、地面４０や床等に接地せず、地面４０や床等から上方へ離間する。したがって、この状態から第１の脚部材１２を跳ね上げて自転車１を走行させる際、容易に第１の脚部材１２を跳ね上げることができる。
【００２９】
また、自転車１を縦置き姿勢で保管する場合、先ず、図４に示すように、横置き姿勢の状態で、第１の脚部材１２を跳ね上げ位置Ｂに回動させる。これにより、案内ピン３４が案内溝３５に案内されながら後方上向きに移動して案内溝３５の他端部へ達し、第２の脚部材１３が第１の脚部材１２に対して開方向Ｏへ回動し、第１の脚部材１２の遊端部と第２の脚部材１３の遊端部との間隔が開く。
【００３０】
この状態で、図７に示すように、自転車１の前部を持ち上げて前輪３を上向きにし、自転車１を縦置き姿勢にすることにより、図８に示すように、第１の脚部材１２の遊端部と第２の脚部材１３の遊端部とが共に地面４０や床等に接地し、自転車１が第１の脚部材１２と第２の脚部材１３とによって縦置き姿勢で安定して保持される。
【００３１】
尚、上記実施の形態では、図７に示すように、折畳み式の自転車１を、組立てたままの状態で、縦置き姿勢で保管しているが、折畳んだ状態で、縦置き姿勢で保管してもよい。
上記実施の形態では、自転車１の一例として折畳み式の自転車１を挙げたが、折畳み式以外でもよく、例えば、汎用タイプの自転車や電動自転車等に用いてもよい。
【産業上の利用可能性】
【００３２】
本発明のスタンドは、折畳み式の自転車のみではなく、折畳み式以外の自転車にも適用できる。
【符号の説明】
【００３３】
１      自転車
２      車体フレーム
８      スタンド
１１    取付部材
１２    第１の脚部材
１３    第２の脚部材
１４    開閉手段
２０    第１の枢着軸
２２    第１の連設フレーム（第１の脚部材の遊端部）
２７    第２の連設フレーム（第２の脚部材の遊端部）
３４    案内ピン
３５    案内溝
Ａ      起立位置
Ｂ      跳ね上げ位置
Ｏ      開方向
Ｓ      閉方向
【図１】
2012011923.tif 000003
【図２】
2012011923.tif 000004
【図３】
2012011923.tif 000005
【図４】
2012011923.tif 000006
【図５】
2012011923.tif 000007
【図６】
2012011923.tif 000008
【図７】
2012011923.tif 000009
【図８】
2012011923.tif 000010
【図９】
2012011923.tif 000011
【図１０】
2012011923.tif 000012